(57)【要約】【課題】  受け皿と調理庫の接触部分における摺動性を改善した加熱調理器を提供することを目的とする。【解決手段】  本体６と、加熱調理を行うための調理庫７と、本体６の開口部を開閉する扉８と、調理物等を載置する受け皿９とを備え、受け皿９が摺動する調理庫７の接触部７ａは、本体６正面から見て受け皿９を調理庫中心方向に付勢する力が作用するよう傾斜して形成した。これにより、接触部７ａにかかる受け皿９の重さＷによる垂直抗力Ｎが減少するとともに、受け皿９を調理庫中心方向に付勢する力が作用することによって調理庫７の側壁への接触も抑制することができ、簡易な手段により受け皿９と調理庫７との摺動性が改善でき、調理物の取り出しがスムーズで使い勝手の良い加熱調理器が提供できる。【選択図】  図１
2005066230.tif 000002
【特許請求の範囲】
【請求項１】
外郭を形成する本体と、開口部を前記本体前面に形成した加熱調理を行うための調理庫と、前記開口部を開閉する扉と、調理物等を載置し調理庫に対して摺動自在な受け皿とを備え、前記受け皿が摺動する前記調理庫の接触部は、前記本体正面から見て前記受け皿を前記調理庫中心方向に付勢する力が作用するよう傾斜して形成した加熱調理器。
【請求項２】
調理庫の接触部に、受け皿との摩擦力を低減する突起部を形成した請求項１に記載の加熱調理器。
【請求項３】
調理庫の接触部に接触する受け皿の接触部分には、摩擦力を低減する突起部を形成した請求項１に記載の加熱調理器。
【請求項４】
接触部の傾斜は、垂直方向に対して４５°以上の接触角を設けた請求項１〜３のいずれか１項に記載の加熱調理器。
【請求項５】
受け皿と調理庫は、異種材料または表面性状を変化させて形成した請求項１〜４のいずれか１項に記載の加熱調理器。
【請求項６】
受け皿と調理庫との接触部分に潤滑剤を塗布した請求項１〜５のいずれか１項に記載の加熱調理器。
【発明の詳細な説明】
【技術分野】
【０００１】
本発明は、一般家庭で使用するロースタ等の加熱調理器に関するものである。
【背景技術】
【０００２】
従来、この種の加熱調理器は、受け皿と調理庫との摺動接触部に、レールあるいは突起物を設け、線あるいは点接触として極力摩擦力を減らし、受け皿をスムーズに摺動させるようにしている。
【０００３】
例えば、図５に示すように、外郭を形成する本体１と、開口部を本体１前面に形成した加熱調理を行うための調理庫２と、開口部を開閉する扉３と、調理物等を載置する受け皿４を備え、受け皿４と調理庫２が摺動する接触部に調理庫２を絞り加工あるいは別部材にて形成したレール５を設け、矢印方向に摺動させるものである。この方式によると、図６に示すように、摺動時の摩擦力Ｆは、接触部の摩擦係数μ×垂直抗力Ｎで決まるものであり、垂直抗力Ｎ＝受け皿の重さＷであることから、さらに重たい調理物等を受け皿４に載置すると摩擦力Ｆは比例的に増加し摺動性が悪化するものである。したがって、接触部に潤滑剤等を塗布する対策がとられるのが一般的であった。この改善方法として、接触部の摩擦力Ｆを軽減するために受け皿４の下方にローラを装着したものが知られている（例えば、特許文献１参照）。
【０００４】
また、通常、調理庫２は、図に示すように四方が壁で囲まれているのが一般的であるため、受け皿４の摺動時に左右方向にぶれて調理庫２の側壁に接触することが生じ、摩擦力がさらに増大し、摺動性がさらに悪化するものであった。この改善方法として、調理庫２の側壁に摺動自在となったレールを設けてガイドし、左右方向のぶれをできるだけ小さくして摺動を滑らかにするものも知られている（例えば、特許文献２参照）。
【０００５】
したがって、前記従来の加熱調理器は、接触部に潤滑材等を塗布して摺動性を改善する、あるいは、ローラまたは、摺動自在となったレールなどの摺動性の高い別部材を介して、受け皿と調理庫の摺動性を改善するものであった。
【特許文献１】実開平４−５２８２６号公報
【特許文献２】特開２００１−４１５６号公報
【発明の開示】
【発明が解決しようとする課題】
【０００６】
しかしながら、前記従来の加熱調理器は、接触部に潤滑材等を塗布する、ローラまたは摺動自在となったレールといった摺動性の高い別部材を介する等、二次的な改善方法に頼っているため、当然コスト的にも高価であり、別部材が増えることによって組立性も悪くなる。また、この別部材のバラツキ等によっては狙いどおりの摺動性の改善が得られず、根本的な摺動性の改善には至っていないという課題があった。
【０００７】
本発明は、前記従来の課題を解決するものであり、簡易な手段により受け皿と調理庫との摺動性を改善し、調理物の取り出しがスムーズで使い勝手の良い加熱調理器を提供することを目的としている。
【課題を解決するための手段】
【０００８】
前記従来の課題を解決するために、本発明の加熱調理器は、受け皿が摺動する調理庫の接触部は、本体正面から見て受け皿を調理庫中心方向に付勢する力が作用するよう傾斜して形成したものである。
【０００９】
これにより、接触部にかかる受け皿の重さＷによる垂直抗力Ｎが減少するとともに、受け皿を調理庫中心方向に付勢する力が作用することによって調理庫の側壁への接触も抑制することができ、簡易な手段により受け皿と調理庫との摺動性が改善でき、調理物の取り出しがスムーズで使い勝手の良い加熱調理器が提供できる。
【発明の効果】
【００１０】
本発明の加熱調理器は、簡易な手段により受け皿と調理庫との摺動性が改善でき、調理物の取り出しがスムーズで使い勝手の良い加熱調理器が提供できる。
【発明を実施するための最良の形態】
【００１１】
第１の発明は、外郭を形成する本体と、開口部を前記本体前面に形成した加熱調理を行うための調理庫と、前記開口部を開閉する扉と、調理物等を載置し調理庫に対して摺動自在な受け皿とを備え、前記受け皿が摺動する前記調理庫の接触部は、前記本体正面から見て前記受け皿を前記調理庫中心方向に付勢する力が作用するよう傾斜して形成した加熱調理器としたことにより、接触部にかかる受け皿の重さＷによる垂直抗力Ｎが減少するとともに、受け皿を調理庫中心方向に付勢する力が作用することによって調理庫の側壁への接触も抑制することができ、簡易な手段により受け皿と調理庫との摺動性が改善でき、調理物の取り出しがスムーズで使い勝手の良い加熱調理器が提供できる。
【００１２】
第２の発明は、特に、第１の発明における調理庫の接触部に、受け皿との摩擦力を低減する突起部を形成したことにより、突起部の作用で接触面積が減少し、その結果、摩擦力Ｆが減少し、さらに効果的に摺動性を改善することができるものである。
【００１３】
第３の発明は、特に、第１の発明における調理庫の接触部に接触する受け皿の接触部分に、摩擦力を低減する突起部を形成したことにより、突起部の作用で接触面積が減少し、その結果、摩擦力Ｆが減少し、さらに効果的に摺動性を改善することができるものである。
【００１４】
第４の発明は、特に、第１〜３のいずれか１つの発明において、接触部の傾斜は、垂直方向に対して４５°以上の接触角を設けたことにより、垂直抗力Ｎが減少し、さらに効果的に摺動性を改善することができるものである。ちなみに、４５°（ｃｏｓ４５°＝０．７０７１）の接触角の場合、摩擦力Ｆに対して約３０％の減少効果が得られるものである。
【００１５】
第５の発明は、特に、第１〜４のいずれか１つの発明において、受け皿と調理庫は異種材料または表面性状を変化させて形成したことにより、摩擦係数μが減少し、さらに効果的に摺動性を改善することができるものである。
【００１６】
第６の発明は、特に、第１〜５のいずれか１つの発明において、受け皿と調理庫との接触部分に潤滑剤を塗布したことにより、摩擦係数μが減少し、さらに効果的に摺動性を改善することができるものである。
【００１７】
以下、本発明の実施の形態について、図面を参照しながら説明する。なお、この実施の形態によって本発明が限定されるものではない。
【００１８】
（実施の形態１）
図１、図２は本発明の実施の形態１における加熱調理器を示すものである。
【００１９】
図１に示すように、外郭を形成する本体６と、開口部を本体６前面に形成した加熱調理を行うための調理庫７と、調理庫７の開口部を開閉する扉８と、調理物等を載置し調理庫に対して摺動自在な受け皿９とを備え、受け皿９が摺動する調理庫７の接触部７ａは、本体６正面から見て受け皿９を調理庫中心Ａ方向に付勢する力が作用するよう傾斜して形成したものである。また、調理庫７の接触部７ａに接触する受け皿９の接触部分９ａも同様に傾斜して形成されている。
【００２０】
図では省略しているが、加熱調理を行うために必要な、ヒーター等の熱源、調理庫７内の温度をコントロールする温度検知装置、それらをコントロールあるいは操作する回路構成等、調理物を載置する焼き網等、本体６への伝熱・輻射熱等をさえぎる遮熱構成等は当然含まれるものであり、設計者が任意に選択できるものである。
【００２１】
図２に受け皿９と調理庫７の接触部分を示しているように、調理庫７の接触部７ａは任意の接触角θにて傾斜しているものである。このように、調理庫７の接触部７ａが任意の接触角θにて傾斜したものにおいて、使用者が加熱調理の開始あるいは終了時等において、調理庫７内からの調理物等の出し入れ等を、受け皿９を摺動させて行うとき、受け皿９と調理庫７の接触部において摩擦力Ｆが生じるものである。摩擦力Ｆは接触部７ａの摩擦係数μ×垂直抗力Ｎで決まるものであり、垂直抗力Ｎあるいは摩擦係数μを減少させることによって摩擦力Ｆが減少し、結果摺動性が改善されるものである。したがって、本実施の形態によれば、受け皿９と調理庫７の接触部は任意の接触角θにて傾斜を形成することにより、受け皿の重さＷによって決まる垂直抗力ＮはＮ＝Ｗｃｏｓθとなる。ここでｃｏｓ０°＝１、ｃｏｓ９０°＝１であることから、図のように傾斜を形成することによって確実に摩擦力Ｆが減少するものである。したがって摺動性は改善されるものである。
【００２２】
また、受け皿９と調理庫７の接触部分は任意の接触角θにて傾斜を形成することにより、接触部に受け皿９を調理庫７の中心方向に付勢する力Ｆｏが作用するため、調理庫７の側壁７ｂに受け皿９が接触することを抑制する。その結果、摺動性は改善されるものである。
【００２３】
（実施の形態２）
図３は、本発明の実施の形態２における加熱調理器を示すものである。実施の形態１と基本構成は同様であるため、同一要素に同一符号を付して説明は省略するものである。
【００２４】
本実施の形態においては、調理庫７の接触部７ａに、受け皿９との摩擦力を低減するレールあるいは突起物等の突起部１０を形成した点で、実施の形態１と相違するものである。なお、突起部１０は、受け皿９と点あるいは線接触するようにして接触面積を低減するものであればよく、形状、構成は特に限定されるものではない。
【００２５】
上記構成によれば、突起部１０の作用で接触面積が減少し、その結果、摩擦力Ｆが減少し、さらに効果的に摺動性を改善することができるものである。
【００２６】
（実施の形態３）
図４は、本発明の実施の形態３における加熱調理器を示すものである。実施の形態１と基本構成は同様であるため、同一要素に同一符号を付して説明は省略するものである。
【００２７】
本実施の形態においては、調理庫７の接触部７ａに接触する受け皿９の接触部分には、摩擦力を低減するコーナーアールあるいは突起物等の突起部１１を形成した点で、実施の形態１と相違するものである。なお、突起部１１は、接触部７ａと点あるいは線接触するようにして接触面積を低減するものであればよく、形状、構成は特に限定されるものではない。
【００２８】
上記構成によれば、突起部１１の作用で接触面積が減少し、その結果、摩擦力Ｆが減少し、さらに効果的に摺動性を改善することができるものである。
【００２９】
なお、各実施の形態１〜３においては、調理庫７の接触部７ａの傾斜を、垂直方向に対して４５°（ｃｏｓ４５°＝０．７０７）以上の接触角とすることで、摩擦力Ｆに対して少なくとも約３０％以上の減少効果を得るものである。
【００３０】
また、各実施の形態においては、受け皿９と調理庫７を異種材料にて構成することによって摩擦係数μが減少し、さらに摩擦力Ｆを減少させるものである。これは同種材料の摺動は表面性状が似かよることで摩擦係数μが増加するものである。例えば、ナイロン同志の場合、摩擦係数μは約０．４、アセタール同志の場合、摩擦係数μは約０．３であるのに対して、ナイロンーアセタールの組み合わせでは摩擦係数μは約０．１と約１／３程度となる。また、同種材料でも表面性状を変化させることで同様の効果が得られるものであり、例えば、表面粗さを変えるとか酸化処理等にて皮膜を形成する等が考えられるものである。
【００３１】
また、各実施の形態においては、受け皿９と調理庫７の接触部に潤滑材等を塗布することによって、摩擦係数μが減少し、さらに摩擦力Ｆを減少させるものである。
【産業上の利用可能性】
【００３２】
以上のように、本発明にかかる加熱調理器は、簡易な手段により受け皿と調理庫の摺動性を改善するものであり、ロースタはもとより、オーブントースタ等、各種の調理器に適用することができる。
【図面の簡単な説明】
【００３３】
【図１】本発明の実施の形態１における加熱調理器の斜視図
【図２】同加熱調理器の受け皿と調理庫の関係を示す拡大断面図
【図３】本発明の実施の形態２における加熱調理器の受け皿と調理庫の関係を示す拡大断面図
【図４】本発明の実施の形態３における加熱調理器の受け皿と調理庫の関係を示す拡大断面図
【図５】従来例における加熱調理器の斜視図
【図６】同加熱調理器の受け皿と調理庫の関係を示す拡大断面図
【符号の説明】
【００３４】
６  本体
７  調理庫
７ａ  接触部
８  扉
９  受け皿
１０、１１  突起部
【図１】
2005066230.tif 000003
【図２】
2005066230.tif 000004
【図３】
2005066230.tif 000005
【図４】
2005066230.tif 000006
【図５】
2005066230.tif 000007
【図６】
2005066230.tif 000008